(57)【要約】【課題】  脚と物干し体の着脱という煩雑さを解消するとともに、物干し体を複雑な構造とせずに、脚と物干し体とを一つの操作で折り畳みできる物干し具を得ることを課題とするものである。【解決手段】  外枠２と内枠１とが内外に斜交する斜交位置で回動自在に軸支して脚を構成し、外枠２と内枠１にの上端に物干し体３を回動可能に取り付け、前記内枠１は外枠２に軸支された下部枠体５に上部枠体４を回動自在に軸支して構成し、物干し体３を水平状態に保持するストッパー７を設けて物干し体を構成する。【選択図】  図１
2005143671.tif 000002
【特許請求の範囲】
【請求項１】
外枠と内枠とが内外に斜交する斜交位置で回動自在に軸支されてなる脚と、
前記外枠と前記内枠に回動可能に取り付けられる物干し体とを備え、
前記内枠は、前記外枠と軸支される下部枠体と、この下部枠体に回動可能に軸支された上部枠体とで構成され、
前記外枠又は内枠に物干し体を水平状態に保持するストッパーが設けられた、物干し具
【請求項２】
脚を折り畳んだときに、上部枠体が外枠に重なるとともに下部枠体が前記外枠と同面となるように、下部枠体の前記斜交位置より上の上端部に屈曲部を設け、前記下部枠体の前記斜交位置から下端までの長さは、前記外枠の前記斜交位置から下端までの長さよりも短くした、請求項１記載の物干し具
【発明の詳細な説明】
【技術分野】
【０００１】
この発明は、折り畳み可能な物干し具に関するものである。
【背景技術】
【０００２】
従来、二つの脚部材を交差させて回動可能に取り付け、その上端間に物干し体を取り付けて構成した折り畳み可能な物干し具は多数提案されている。
ところで、従来のものにおいては二つの脚部材を交差させて折り畳み可能とするために、物干し体を着脱可能とするか、折り畳み可能とする必要があった。
【０００３】
そして、物干し体を着脱可能とした構成においては、使用時には脚を開く作業に次いで物干し体を固定する作業が必要であり、格納時にも逆の作業が要求され、手間がかかる。また、物干し体を折り畳み可能とした構成においては、必然的に構造が複雑になる。
【特許文献１】特開平１０−２１１３９５
【０００４】
上記発明においては、脚の上端に接合された物干し部をＷ状に折り畳み自在とすることにより、交差させた脚部材とともに折り畳み可能としたものであり、物干し体の構造が複雑となり、生産コストも高くなるという問題があった。
【発明の開示】
【発明が解決しようとする課題】
【０００５】
この発明は、脚と物干し体の着脱という煩雑さを解消するとともに、物干し体を複雑な構造とせずに折り畳みできる物干し具を提供することを目的とするものである。
【課題を解決するための手段】
【０００６】
この発明の物干し具は、外枠と内枠とを内外に斜交する斜交位置で回動自在に軸支して脚を構成し、前記外枠と前記内枠の上端に物干し体を回動可能に取り付け、前記内枠は前記外枠に軸支される下部枠体に、上部枠体を回動可能に軸支して構成し、外枠又は内枠に前記物干し体を水平状態に保持するストッパーを設けて構成することにより、上記課題を解決するものである。
【０００７】
前記脚は、脚を折り畳んだときに、上部枠体が外枠に重なるとともに下部枠体が前記外枠と同面となるように、下部枠体の前記斜交位置より上の上端部に屈曲部を設け、前記下部枠体の前記斜交位置から下端までの長さは、前記外枠の前記斜交位置から下端までの長さよりも短くすることが好ましい（請求項２）
【０００８】
この発明において、内枠及び外枠は、以下の実施例に示すように長方形状とすることが好ましいが、下杆は無くともよい。また、物干し体は、以下の実施例のように枠状のものが一般的であるが、枠を設けずに複数の杆体を内外の枠体間に取り付けるものとしてもよい。
【発明の効果】
【０００９】
この発明において、内枠は外枠に軸支された下部枠体と上部枠体とを回動可能に軸支して構成されているので、脚を折り畳むと上部枠体の回動に伴って物干し体が回動し、これを自動的に折り畳むことができる。
【００１０】
また請求項２の発明においては、脚を折り畳んだときに、上部枠体が外枠に重なるとともに下部枠体が前記外枠と同面となるように、下部枠体の前記斜交位置より上の上端部に屈曲部を設け、前記下部枠体の前記斜交位置から下端までの長さは、前記外枠の前記斜交位置から下端までの長さよりも短くしたので、２枚重ねの状態に折り畳むことができ、不使用時の収納スペースを抑えることができる。
【発明を実施するための最良の形態】
【００１１】
以下に、最良の形態としての実施例を示す。  
【実施例】
【００１２】
図１は、この発明の物干し具の一実施例の斜視図である。長方形状の枠体である内枠１と外枠２を内外に斜交して組み合わさせるとともに斜交位置で回動自在に軸止して脚を構成し、内枠１及び外枠２の上部に物干し体３を回動可能に取り付けて、物干し具を構成している。内枠１と外枠２は、それぞれ略長方形状の枠体の長辺同士が斜交していて、短辺のうち一辺がそれぞれ床面に接し、他の短辺にそれぞれ物干し体３が回動可能取り付けてある。
【００１３】
内枠１及び外枠２とも金属パイプで形成されている。前記外枠２は、折り曲げ加工で略長方形状に一体に形成してある。内枠１はコ字状の上部枠体４と、コ字状の下部枠体５とで構成し、それぞれの端部を重ねて回動軸６で回動可能に軸止し、略長方形状に形成してある。そして上部枠体４と下部枠体５との回動を阻止し物干し体３を水平状態に保持するためのストッパー７が、上部枠体４の端部に設けられている。ストッパー７は脚を折り畳んだ状態から展開して、物干し体３が水平状態になったときに上部枠体４と下部枠体５とのそれ以上の回動を阻止するもので、展開状態において下部枠体５が嵌るように断面U字型をなし、折り畳み方向に回動する向きには回動阻止が働かない構造となっている。
上部枠体４の上部の物干し体３が取り付けられている辺の長さは、外枠２の物干し体３が取り付けられる辺と同じ長さとしてある。
【００１４】
前記内枠１の下部枠体５は、内枠１と外枠２とが内外に斜交する斜交位置の回動軸８で外枠２と回動自在に軸支されている。下部枠体５には、回動軸８とストッパー７との間に屈曲部９が設けられ、回動軸６とストッパー７とを設けた端部側が回動軸８側からみて下部枠体５の径の１．５倍程度下向きの段違いとなっている。また下部枠体５は、回動軸８がある斜交位置から下端までの長さを、外枠２の斜交位置から下端までの長さよりも外枠２の径の長さ短くしてある。
【００１５】
物干し体３は、金属製のワイヤにより長方形状に形成された枠体と、前記枠体の短辺相互間に渡した複数の線状の物干し掛けを有している。長方形の枠体の両長辺側に位置する２本の物干し掛けは、前記枠体短辺から突出し、その端部に連結具１０が取り付けてあり、この連結具１０が外枠２の上部の辺と内枠１の上部枠体４の上部の辺とにそれぞれ回動可能に取り付けられている。
【００１６】
次にこの発明の物干し具の操作を図２、図３、図４、図５により説明する。
脚が閉じられ折り畳まれた物干し具を使用するときには、内枠１の下縁を脚で押さえ、内枠１の上部枠体４の短縁を上向きに回動させる（図２中の矢印方向）。
この操作による回転力により上部枠体４が上向きに回動し、その回転力が下部枠体５に伝わり、下部枠体５が回動して下部枠体５と外枠２とが開く。内枠１を更に回動させると、上部枠体４に設けられたストッパー７に外枠２がはまり、回動は止まり、物干し体３は水平となり、物干し具を使用することができる状態となる。
【００１７】
折り畳むとき（収納するとき）には、
内枠１の下部枠体５の床設置辺を足で踏んで固定し、外枠２の上部辺を手で上に移動させる（図３中の矢印方向）。下部枠体の床設置辺は設置の安定さのみならず、折り畳み操作の容易さに寄与するものである。
この動作により図４に示すように、上部枠体４と下部枠体５とを係止させていたストッパー７による係止が解除され、上部枠体４と下部枠体５とが回動軸６を中心に回動し、さらに外枠２と下部枠体５とが斜交位置にある回動軸８を中心に回動するとともに、物干し体３も連結具１０とともに回動し、折り畳まれる（図４中の矢印方向）。
【００１８】
図５は、折り畳みが完了した状態を示す平面図である。下部枠体５には屈曲部９があること、そして内枠１を外枠２よりも短くしてしてあるので、折り畳みが完了すると外枠２に上部枠体４が当接した状態に重ねて置かれ、下部枠体５は外枠２の内側にはまりこんで同面に収納される。
【００１９】
内枠１と外枠２とが回動自在であり、また内枠１を構成する上部枠体４と下部枠体５とが回動可能で、物干し体３の連結具１０も回動可能としたので、折り畳みに際しては、物干し体３を着脱する必要なしに、また物干し体３自体を折り畳む複雑な構造を設ける必要がなく、簡単に折り畳むことができる。
【産業上の利用可能性】
【００２０】
この発明の物干し具は、物干し体を複雑な構造とすることなく脚ととともに折り畳めるもので、容易に商品化可能であり、産業上利用し得るものである。
【図面の簡単な説明】
【００２１】
【図１】この発明実施例の斜視図である。
【図２】この発明実施例のひろげはじめの状態を示した斜視図である。
【図３】この発明実施例の折り畳みはじめの状態を示した斜視図である。
【図４】この発明実施例の折り畳む途中の一姿態を示した斜視図である。
【図５】この発明実施例の折り畳みが完了した状態を示す平面図である。
【符号の説明】
【００２２】
１  内枠
２  外枠
３  物干し体
４  上部枠体
５  下部枠体
６  回動軸
７  ストッパー
８  回動軸
９  屈曲部
１０  連結具
【図１】
2005143671.tif 000003
【図２】
2005143671.tif 000004
【図３】
2005143671.tif 000005
【図４】
2005143671.tif 000006
【図５】
2005143671.tif 000007